(57)【要約】【課題】賃貸サービスに用いられるプラグインハイブリッド車両において燃料の劣化を抑制する。【解決手段】管理サーバは、実行条件が成立すると（Ｓ１００にてＹＥＳ）、各車両から燃料残量と直前のリッド開の日時とを取得するステップ（Ｓ１０２）と、各車両の燃料の未使用期間を算出するステップ（Ｓ１０４）と、未使用期間がしきい値以上となる車両があると（Ｓ１０６にてＹＥＳ）、当該車両の予約情報を取得するステップ（Ｓ１０８）と、次の充電期間に燃料交換が可能である場合に（Ｓ１１０にてＹＥＳ）、燃料交換の対象車両として設定するステップ（Ｓ１１２）と、燃料交換の対象車両の報知処理を実行するステップ（Ｓ１１４）とを含む、処理を実行する。【選択図】図３
2020107183.tif 000002
【特許請求の範囲】
【請求項１】
賃貸サービスに用いられ、エンジンと蓄電装置とを搭載した複数のプラグインハイブリッド車両と、
複数の前記プラグインハイブリッド車両のうちの少なくともいずれかの前記蓄電装置を外部充電が可能に構成された充電装置と、
複数の前記プラグインハイブリッド車両のうちの前記賃貸サービスによって返却された前記プラグインハイブリッド車両に搭載された前記蓄電装置を前記充電装置を用いて充電する管理サーバとを備え、
前記管理サーバは、複数の前記プラグインハイブリッド車両の各々に搭載された燃料の未使用期間を取得し、前記未使用期間がしきい値以上となる車両がある場合には、当該車両に搭載された前記蓄電装置を充電する期間内に燃料が交換されるように前記賃貸サービスの事業者に報知する、車両管理システム。
【発明の詳細な説明】
【技術分野】
【０００１】
本開示は、賃貸サービスに用いられるプラグインハイブリッド車両の管理に関する。
【背景技術】
【０００２】
近年、環境意識の高まりとともに環境負荷の低い電動車両の利用が広がっている。このような電動車両としては、蓄電装置と、発電が可能なエンジンとを搭載するとともに、電力網から電力の供給を受けて蓄電装置を充電することが可能なプラグインハイブリッド車両が公知である。
【０００３】
このように走行中における環境負荷の低いプラグインハイブリッド車両を積極的に利用することによって低環境負荷型社会の構築に貢献することが可能となる。そして、このような電動車両の積極的な利用態様の一つとして、たとえば、複数人で１または２以上の車両を共有し利用するカーシェリング等の賃貸サービスが挙げられる。
【０００４】
また、上述のプラグインハイブリッド車両は、環境負荷や燃費の観点から、エンジンを停止させた状態で電動走行する制御が優先的に行なわれるが、エンジンの停止期間が長くなりすぎると燃料が劣化する可能性がある。そのため、燃料タンク内の劣化した燃料を新たな燃料に交換することが望ましい。
【０００５】
このような問題に対して、たとえば、特開２００８−１４９９７２号公報（特許文献１）には、内燃機関が所定の間未使用であると判定されると、内燃機関を使用して車両を走行させたり、燃料を交換することをユーザに報知する技術が開示される。
【先行技術文献】
【特許文献】
【０００６】
【特許文献１】特開２００８−１４９９７２号公報
【発明の概要】
【発明が解決しようとする課題】
【０００７】
上記公報に開示された技術は、単に燃料の消費や交換を促すものであるため、ユーザがその報知に従って燃料が消費するように車両を走行させたり、ガソリンスタンドや整備工場等にて燃料の交換を依頼するなどユーザによる対応が求められる。しかしながら、カーシェアリングのような賃貸サービスで利用されるプラグインハイブリッド車両は、不特定多数のユーザが共有するため、各ユーザが車両のメンテナンスに関して主体的な対応することが困難になる。
【０００８】
本開示は、上述した課題を解決するためになされたものであって、その目的は、賃貸サービスに用いられるプラグインハイブリッド車両において燃料の劣化を抑制する車両管理システムを提供することである。
【課題を解決するための手段】
【０００９】
本開示のある局面に係る車両管理システムは、賃貸サービスに用いられ、エンジンと蓄電装置とを搭載した複数のプラグインハイブリッド車両と、複数のプラグインハイブリッド車両のうちの少なくともいずれかの蓄電装置を外部充電が可能に構成された充電装置と、複数のプラグインハイブリッド車両のうちの賃貸サービスによって返却されたプラグインハイブリッド車両に搭載された蓄電装置を充電装置を用いて充電する管理サーバとを備える。管理サーバは、複数のプラグインハイブリッド車両の各々に搭載された燃料の未使用期間を取得し、未使用期間がしきい値以上となる車両がある場合には、当該車両に搭載された蓄電装置を充電する期間内に燃料が交換されるように賃貸サービスの事業者に報知する。
【００１０】
このようにすると、賃貸サービスの事業者への報知により、賃貸サービスによって返却されたプラグインハイブリッド車両に搭載された蓄電装置を充電する期間において、燃料が交換されると、賃貸サービスに用いられるプラグインハイブリッド車両に搭載された燃料の劣化を抑制することができる。
【発明の効果】
【００１１】
本開示によると、賃貸サービスに用いられるプラグインハイブリッド車両において燃料の劣化を抑制する車両管理システムを提供することができる。
【図面の簡単な説明】
【００１２】
【図１】本実施の形態に係る車両管理システムの構成の一例を説明するための図である。
【図２】本実施の形態におけるプラグインハイブリッド車両の構成の一例を概略的に示す図である。
【図３】管理サーバで実行される処理の一例を示すフローチャートである。
【発明を実施するための形態】
【００１３】
以下、本開示の実施の形態について、図面を参照しながら詳細に説明する。なお、図中同一または相当部分には同一符号を付してその説明は繰り返さない。
【００１４】
図１は、本実施の形態に係る車両管理システム２００の構成の一例を説明するための図である。本実施の形態において車両管理システム２００は、管理サーバ１０と、拠点９内に設置される充放電装置５と、拠点９内に駐車される複数の電動車両（以下、単に車両と記載する）１〜４とによって構成される。
【００１５】
拠点９内に駐車された複数の車両１〜４は、カーシェアリング等の賃貸サービスに利用される車両である。カーシェアリングは、電動車両の利用形態の一態様であって、たとえば、所定の契約期間が経過するまで複数人のユーザが１または２台以上の電動車両を共有する利用形態である。ユーザは、事前に電動車両の利用を予約し、予約された日時に拠点９に訪れて拠点９内に駐車されたいずれかの車両を利用する。本実施の形態においては、説明の便宜上、ユーザは、利用後に拠点９に車両を返却する利用形態を一例として説明するが、たとえば、ユーザは、拠点９以外の拠点に車両を返却可能な利用形態としてもよい。
【００１６】
本実施の形態において、複数の車両１〜４は、いずれも駆動用電動機に電力の供給が可能な蓄電装置と、蓄電装置の充電や車両外部への給電が可能な電力を発電するエンジンとを搭載したプラグインハイブリッド車両であるものとする。なお、図１では、説明の便宜上、４台の車両１〜４のみを示すが、車両の台数については、特に４台に限定されるものではない。
【００１７】
車両管理システム２００は、充放電装置５に接続された複数の車両１〜４のうちの少なくとも一部の車両に搭載された蓄電装置の電力やエンジンを用いて発電された電力を充放電装置５を経由して接続された電力網に供給したり、電力網からの電力を充放電装置５を経由して充放電装置５に接続された複数の車両１〜４のうちの少なくとも一部の車両に搭載された蓄電装置に供給したりするように構成される。
【００１８】
拠点９内に駐車された複数の車両１〜４に搭載された蓄電装置の残容量（以下、残容量をＳＯＣ（State  Of  Charge）で示すものとする）の管理は、管理サーバ１０によって行なわれる。車両１〜４は、拠点９内の所定の駐車スペースに駐車され、後述するケーブル等を用いて充放電装置５に接続される。
【００１９】
管理サーバ１０は、通信ネットワーク６上に設けられた基地局７を介して、車両１〜４を含む複数の車両と互いに通信が可能に構成されている。また、管理サーバ１０は、通信ネットワーク６および基地局７を介して、充放電装置５とも互いに通信が可能に構成されている。管理サーバ１０は、複数の車両のユーザの携帯端末８（たとえば、スマートフォン）との通信が可能に構成されていてもよい。
【００２０】
管理サーバ１０には、カーシェアリングに用いられる車両１〜４を特定するための情報（以下、車両ＩＤと記載する）と、拠点９を特定するための情報（以下、拠点ＩＤと記載する）とが予め記憶される。車両ＩＤは、車両毎に設定された固有の情報である。拠点ＩＤは、拠点９を含む複数の拠点毎に設定された固有の情報である。
【００２１】
管理サーバ１０は、たとえば、通信ネットワーク６を経由して車両１〜４から位置情報とともに車両ＩＤを受信する場合には、受信した位置情報から車両が駐車されている拠点を特定して拠点ＩＤを取得する。管理サーバ１０は、拠点ＩＤと車両ＩＤとを対応づけて管理リストに登録する。そのため、管理サーバ１０は、管理リストによって拠点９内に駐車されている車両を特定したり、拠点９内に駐車されている車両の台数を特定したりすることができる。
【００２２】
さらに、管理サーバ１０は、拠点９内に駐車された車両に搭載された蓄電装置を充電したり、蓄電装置の電力を充放電装置５を用いて電力網に供給（放電）したりする。蓄電装置の充電や電力網への放電の詳細については後述する。
【００２３】
管理サーバ１０は、制御装置１１と、記憶装置１２と、通信装置１３とを含む。制御装置１１と記憶装置１２と通信装置１３とは、通信バス１４によって互いに通信可能に接続される。
【００２４】
記憶装置１２は、上述の拠点ＩＤと、拠点ＩＤに対応づけられた車両ＩＤと、車両ＩＤに対応づけられた情報とを含む管理リストを格納する。管理リストに含まれる情報としては、たとえば、予約の有無に関する情報と、利用開始予定時刻に関する情報と、返却予定時刻（利用停止予定時刻）に関する情報と、走行予定距離に関する情報と、燃料の残量に関する情報と、直前の燃料が補給あるいは交換された日時に関する情報とを含む。通信装置１３は、制御装置１１と通信ネットワーク６との間で双方向通信を実現する。
【００２５】
制御装置１１は、いずれも図示しないが、ＣＰＵ（Central  Processing  Unit）、メモリ（ＲＯＭ（Read  Only  Memory）およびＲＡＭ（Random  Access  Memory）など）、および、各種信号を入出力するための入出力ポート等を含んで構成されている。制御装置１１により実行される各種制御は、ソフトウェア処理、すなわち、メモリに格納されたプログラムがＣＰＵにより読み出されることにより実行される。制御装置１１による各種制御は、記憶媒体に記憶されたプログラムを汎用のサーバ（図示せず）が実行することによっても実現可能である。ただし、制御装置１１による各種制御は、ソフトウェア処理に限られず、専用のハードウェア（電子回路）で処理してもよい。
【００２６】
ユーザは、携帯端末８等を用いて予約情報を入力し、入力された予約情報が管理サーバ１０に送信される。予約情報は、たとえば、車両を賃貸する拠点を特定するための情報と、利用開始予定時刻に関する情報と、返却予定時刻に関する情報と、走行予定距離に関する情報とを含む。
【００２７】
管理サーバ１０は、受信した予約情報を用いて管理リストを更新し、更新された予約情報と、他のユーザの予約情報あるいは時間帯等に基づいて拠点９内の車両１〜４に搭載された蓄電装置のＳＯＣを充放電装置５を用いて調整する。管理サーバ１０は、たとえば、拠点９内に車両１〜４のいずれかが返却され、充放電装置５に接続された場合には、返却された車両に搭載される蓄電装置を所定のＳＯＣ（たとえば、満充電状態に相当するＳＯＣ）になるまで充放電装置５を用いて充電する。
【００２８】
次に、車両１〜４の具体的な構成について説明する。なお、車両１〜４は基本的には共通の構成を有するため、以下では、車両１の構成について代表的に説明する。
【００２９】
図２は、本実施の形態における車両１の構成の一例を概略的に示す図である。図２を参照して、車両１は、蓄電装置２０と、システムメインリレー（ＳＭＲ：System  Main  Relay）２１と、パワーコントロールユニット（ＰＣＵ：Power  Control  Unit）２２と、第１モータジェネレータ（以下、第１ＭＧと記載する）６１と、第２モータジェネレータ（以下、第２ＭＧと記載する）６２と、エンジン６３と、動力分割装置６４と、動力伝達ギヤ６５と、駆動輪６６と、ＥＣＵ（Electronic  Control  Unit）１００とを含む。
【００３０】
蓄電装置２０は、再充電可能な直流電源であり、たとえば、リチウムイオン電池またはニッケル水素電池などの二次電池を含んで構成される。蓄電装置２０として電気二重層キャパシタ等のキャパシタも採用可能である。蓄電装置２０は、車両１の走行駆動力を生成するための電力をＰＣＵ２２へ供給する。また、蓄電装置２０は、第１ＭＧ６１とエンジン６３とを用いた発電動作によって発電された電力により充電されたり、第２ＭＧ６２の回生制動により発電された電力により充電されたり、第１ＭＧ６１または第２ＭＧ６２の駆動動作により放電されたり、車両外部から供給される電力により充電されたり、車両外部への電力の供給により放電されたりする。
【００３１】
ＳＭＲ２１は、蓄電装置２０とＰＣＵ２２との間に電気的に接続されている。ＳＭＲ２１の閉成／開放は、ＥＣＵ１００からの指令に従って制御される。
【００３２】
ＰＣＵ２２は、ＥＣＵ１００からの指令に従って、蓄電装置２０と第１ＭＧ６１との間で電力変換を行なったり、蓄電装置２０と第２ＭＧ６２との間で電力変換を行なったりする。ＰＣＵ２２は、蓄電装置２０から電力を受けて第１ＭＧ６１または第２ＭＧ６２を駆動するインバータと、インバータに供給される直流電圧のレベルを調整するコンバータ（いずれも図示せず）等とを含んで構成される。
【００３３】
第１ＭＧ６１および第２ＭＧ６２の各々は、三相交流回転電機であって、たとえば、永久磁石が埋設されたロータを備える永久磁石型同期電動機である。第１ＭＧ６１および第２ＭＧ６２は、いずれも電動機（モータ）としての機能と発電機（ジェネレータ）としての機能とを有する。第１ＭＧ６１および第２ＭＧ６２は、ＰＣＵ２２を介して蓄電装置２０と接続される。
【００３４】
第１ＭＧ６１は、たとえば、エンジン６３の始動時においては、ＰＣＵ２２に含まれるインバータによって駆動され、エンジン６３の出力軸を回転させる。また、第１ＭＧ６１は、発電時においては、エンジン６３の動力を受けて発電する。第１ＭＧ６１によって発電された電力は、ＰＣＵ２２を介して蓄電装置２０に蓄えられる。
【００３５】
第２ＭＧ６２は、たとえば、車両１の走行時においては、ＰＣＵ２２に含まれるインバータによって駆動される。第２ＭＧ６２の動力は、動力伝達ギヤ６５を介して駆動輪６６に伝達される。また、第２ＭＧ６２は、たとえば、車両１の制動時においては、駆動輪６６により第２ＭＧ６２が駆動され、第２ＭＧ６２が発電機として動作して、回生制動を行なう。第２ＭＧ６２によって発電された電力は、ＰＣＵ２２を介して蓄電装置２０に蓄えられる。
【００３６】
エンジン６３は、ガソリンエンジンやディーゼルエンジンなどの燃料（ガソリンや軽油）を燃焼させて動力を出力する公知の内燃機関であって、スロットル開度（吸気量）や燃料供給量、点火時期などの運転状態をＥＣＵ１００によって電気的に制御できるように構成されている。ＥＣＵ１００は、エンジン６３が車両１の状態に基づいて設定される目標回転数および目標トルクで動作するように、エンジン６３の燃料噴射量、点火時期および吸入空気量等を制御する。エンジン６３の動力は、動力分割装置６４よって駆動輪６６に伝達される経路と第１ＭＧ６１へ伝達される経路とに分割される。動力分割装置６４は、たとえば、遊星歯車機構によって構成される。
【００３７】
車両１は、外部充電または外部給電を行なうための構成として、充放電リレー２６と、電力変換装置２７と、インレット２８とをさらに備える。インレット２８には、コネクタ３２が連結される。コネクタ３２は、ケーブル３１を介して充放電装置５のＥＭＳ（Energy  Management  System）５３に連結される。図２においては、コネクタ３２がインレット２８に取り付けられた状態が示されるが、コネクタ３２は、インレット２８から脱着可能に構成され、外部充電または外部給電が行なわれる場合にインレット２８にコネクタ３２が取り付けられ、車両１が運転される場合にインレット２８からコネクタ３２が取り外される。
【００３８】
蓄電装置２０の外部充電時には、ＥＭＳ５３側からケーブル３１、コネクタ３２およびインレット２８を介して電力が供給され、電力変換装置２７において蓄電装置２０の充電が可能な電力（以下、充電電力と記載する）に変換され、変換された充電電力が蓄電装置２０に供給される。一方、蓄電装置２０の外部給電時には、電力変換装置２７において所定の電力（たとえば、交流電力）に変換され、変換された交流電力がインレット２８、コネクタ３２およびケーブル３１を介してＥＭＳ５３に供給される。
【００３９】
充放電リレー２６は、蓄電装置２０と電力変換装置２７との間に電気的に接続されている。充放電リレー２６が閉成され、かつ、ＳＭＲ２１が閉成されると、インレット２８と蓄電装置２０との間で電力伝送が可能な状態となる。
【００４０】
電力変換装置２７は、充放電リレー２６とインレット２８との間に電気的に接続されている。電力変換装置２７は、ＥＣＵ１００からの指令に従って、ＥＭＳ５３から供給される電力を充電電力に変換したり、あるいは、蓄電装置２０からの電力を給電可能な電力（たとえば、ＡＣ１００Ｖの交流電力）に変換したりする。
【００４１】
ＥＣＵ１００は、ＣＰＵ１０１、メモリ１０２、および、各種信号を入出力するための入出力ポート（図示せず）等を含んで構成されている。ＥＣＵ１００は、車両１が所望の状態となるように車両１内の各機器（ＳＭＲ２１、ＰＣＵ２２、充放電リレー２６、電力変換装置２７およびエンジン６３など）を制御する。ＥＣＵ１００により実行される各種制御は、ソフトウェア処理、すなわち、メモリ１０２に格納されたプログラムがＣＰＵ１０１により読み出されることにより実行される。ＥＣＵ１００による各種制御は、ソフトウェア処理に限られず、専用のハードウェア（電子回路）で処理してもよい。
【００４２】
ＥＣＵ１００には、燃料残量センサ６７と、リッド開閉スイッチ６８とが接続される。燃料残量センサ６７は、燃料タンク（図示せず）内の燃料の残量を検出する。燃料残量センサ６７は、検出した燃料残量を示す信号をＥＣＵ１００に送信する。なお、燃料残量センサ６７は、たとえば、燃料タンク内の燃料の液面高さを検出するセンサであって、ＥＣＵ１００は、検出された燃料の液面高さから燃料の残量を算出してもよい。リッド開閉スイッチ６８は、給油口を覆うように設けられるリッド（図示せず）が開いたときにオン信号をＥＣＵ１００に送信し、リッドが閉じたときにオン信号の送信を停止する。ＥＣＵ１００は、タイマーを内蔵しており、たとえば、リッドが開いた時点の日時を燃料が補給あるいは交換された日時として取得し、メモリ１０２に記憶する。
【００４３】
車両１は、無線通信装置５０をさらに備える。無線通信装置５０は、車両外部と各種情報等を通信するために構成される。無線通信装置５０は、遠距離通信モジュール５１と、近距離通信モジュール５２とを含む。遠距離通信モジュール５１は、たとえば、ＬＴＥ（Long  Term  Evolution）通信モジュールを含む。遠距離通信モジュール５１は、通信ネットワーク６内の基地局７との双方向のデータ通信が可能なように構成されている。近距離通信モジュール５２は、車両１から近距離（たとえば、数メートルから数十メートル程度）にあるユーザの携帯端末８との双方向のデータ通信が可能なように構成されている。
【００４４】
また、ＥＣＵ１００は、無線通信装置５０を介して様々な情報（車両１の燃料タンク内の燃料の残量に関する情報や直前のリッドが開いた日時など）を充放電装置５や管理サーバ１０に送信したり、充放電装置５や管理サーバ１０からの情報（車両１の予約情報など）を受信したりする。ＥＣＵ１００は、車両１の予約情報を受信する場合には、受信した予約情報をメモリ１０２に記憶させる。
【００４５】
さらに、ＥＣＵ１００は、たとえば、車両１の運転中であるとき、あるいは、車両１の駐車中であって、インレット２８にコネクタ３２が接続され、電力網１５と蓄電装置２０との間で電力の授受が可能な状態であるときに、蓄電装置２０のＳＯＣを算出する。
【００４６】
なお、ＳＯＣの算出方法としては、たとえば、電流値積算（クーロンカウント）による手法、または、開放電圧（ＯＣＶ：Open  Circuit  Voltage）の推定による手法など、種々の公知の手法を採用できる。
【００４７】
充放電装置５は、ＥＭＳ５３と、通信装置５４と、電気機器５８とが設けられる。ＥＭＳ５３には、車両１〜４と、電力網１５と、電気機器５８とが接続される。ＥＭＳ５３は、車両１との間で電力を授受する入出力部５３ａと、電力網１５との間で電力を授受する入出力部５３ｂと、電気機器５８に給電するための出力部５３ｃと、車両２との間で電力を授受する入出力部５３ｄと、車両３との間で電力を授受する入出力部５３ｅと、車両４との間で電力を授受する入出力部５３ｆとを含む。通信装置５４は、車両１の無線通信装置５０と通信可能に構成されるとともに、通信ネットワーク６を経由して管理サーバ１０と通信可能に構成される。ＥＭＳ５３は、通信装置５４を経由して車両１〜４との間で情報を授受したり、管理サーバ１０との間で情報を授受したりする。
【００４８】
ＥＭＳ５３は、たとえば、電力変換装置および制御装置等によって構成される。ＥＭＳ５３は、たとえば、電力網１５から供給される電力を電気機器５８に供給したり、車両１〜４の少なくともいずれかに供給したり、車両１への電力の供給量を調整したりする。あるいは、ＥＭＳ５３は、たとえば、車両１〜４の少なくともいずれかから供給される電力を電気機器５８に供給したり、電力網１５に供給したり、電力網１５への電力の供給量を調整したりする。
【００４９】
このような構成を有する車両１〜４は、環境負荷や燃費の観点から、エンジン６３を停止させた状態で電動走行する制御が優先的に行なわれるが、エンジン６３の停止期間が長くなりすぎると燃料タンク内の燃料が劣化する可能性がある。そのため、燃料タンク内の劣化した燃料を新たな燃料に交換することが望ましい。
【００５０】
そのため、たとえば、エンジン６３の停止期間がしきい値を超えると、エンジン６３を使用して車両１を走行させたり、燃料タンク内の燃料を交換することについてユーザに報知することが考えられる。この場合、ユーザが、その報知に従って燃料が消費するように車両１を走行させたり、ガソリンスタンドや整備工場等にて燃料の交換を依頼したりするなどユーザによる対応が求められる。
【００５１】
しかしながら、カーシェアリングのような賃貸サービスで利用される車両は、不特定多数のユーザが共有するため、各ユーザが車両のメンテナンスに関して主体的な対応することが困難になる。
【００５２】
そこで、本実施の形態においては、管理サーバ１０は、複数の車両１〜４の各々に搭載された燃料の未使用期間を取得し、未使用期間がしきい値以上となる車両がある場合には、当該車両に搭載された蓄電装置２０を充電する期間内に燃料が交換されるように賃貸サービスの事業者に報知するものとする。
【００５３】
このようにすると、賃貸サービスの事業者への報知により、賃貸サービスによって返却されたプラグインハイブリッド車両に搭載された蓄電装置を充電する期間において、燃料が交換されると、賃貸サービスに用いられるプラグインハイブリッド車両に搭載された燃料の劣化を抑制することができる。
【００５４】
以下、図３を参照して、管理サーバ１０（より詳細には、制御装置１１）で実行される処理について説明する。図３は、管理サーバ１０で実行される処理の一例を示すフローチャートである。このフローチャートに示される処理は、図１で示した管理サーバ１０により、所定の処理周期で繰り返し実行される。
【００５５】
ステップ（以下、ステップをＳと記載する）１００にて、管理サーバ１０は、実行条件が成立するか否かを判定する。実行条件は、たとえば、前回の未使用期間の算出時点から予め定められた期間が経過するという条件を含む。実行条件が成立すると判定される場合（Ｓ１００にてＹＥＳ）、処理はＳ１０２に移される。
【００５６】
Ｓ１０２にて、管理サーバ１０は、車両１〜４の各々から燃料残量と、直前のリッドが開いた日時とを取得する。管理サーバ１０は、たとえば、通信装置１３および通信ネットワーク６を経由して車両１〜４の各々に対して燃料残量と直前のリッドが開いた日時とを要求する。車両１〜４の各々は、管理サーバ１０からの要求にしたがって各車両の燃料タンク内の燃料の残量と、直前のリッドが開いた日時とを管理サーバ１０に送信する。
【００５７】
Ｓ１０４にて、管理サーバ１０は、各車両の燃料の未使用期間を算出する。管理サーバ１０は、たとえば、前回の燃料の残量と、今回の燃料の残量との差分の大きさがしきい値よりも小さい場合には、直前のリッドが開いた日時から現在までの期間を燃料の未使用期間として算出する。
【００５８】
Ｓ１０６にて、管理サーバ１０は、車両１〜４のうちの未使用期間がしきい値以上となる車両があるか否かを判定する。なお、しきい値は、予め定められた期間であってもよいし、あるいは、燃料の種類や車種などの条件に応じて設定されてもよいし、あるいは、燃料の残量によって設定されてもよい。たとえば、燃料の残量が少ない場合には、燃料残量が多い場合よりも劣化の進行度合いが大きくなるため、燃料の残量が多い場合よりも短い期間をしきい値として設定してもよい。未使用期間がしきい値以上となる車両があると判定される場合（Ｓ１０６にてＹＥＳ）、処理はＳ１０８に移される。
【００５９】
Ｓ１０８にて、管理サーバ１０は、未使用期間がしきい値以上となる車両の予約情報を取得する。すなわち、管理サーバ１０は、未使用期間がしきい値以上となる車両の少なくとも利用開始予定時刻と返却予定時刻とを取得する。
【００６０】
Ｓ１１０にて、管理サーバ１０は、未使用期間がしきい値以上となる車両の次の充電期間において燃料交換が可能であるか否かを判定する。
【００６１】
管理サーバ１０は、たとえば、未使用期間がしきい値以上となる車両の次の返却予定時刻におけるＳＯＣを推定する。管理サーバ１０は、たとえば、走行予定距離、目的地あるいは利用時間等から返却予定時刻におけるＳＯＣ（以下、返却時ＳＯＣと記載する）を推定する。管理サーバ１０は、返却された車両の次の予約情報を用いて貸出時に必要となるＳＯＣ（以下、貸出時ＳＯＣと記載する）を推定する。管理サーバ１０は、次の予約情報を用いて設定された距離だけ電動走行が可能となるＳＯＣを貸出時ＳＯＣとして推定してもよい。管理サーバ１０は、貸出時ＳＯＣが返却時ＳＯＣよりも大きい場合において、返却時ＳＯＣから貸出時ＳＯＣまで充電する場合に必要となる充電期間を推定する。管理サーバ１０は、推定された充電期間が、燃料タンク内の燃料の交換に必要となる期間よりも長い場合には、未使用期間がしきい値以上となる車両の次の充電期間において燃料交換が可能であると判定する。未使用期間がしきい値以上となる車両の次の充電期間において燃料交換が可能であると判定される場合（Ｓ１１０にてＹＥＳ）、処理はＳ１１２に移される。
【００６２】
Ｓ１１２にて、管理サーバ１０は、未使用期間がしきい値以上となる車両を燃料交換の対象車両として設定する。
【００６３】
Ｓ１１４にて、管理サーバ１０は、燃料交換の対象車両についての報知処理を実行する。管理サーバ１０は、たとえば、カーシェアリングの事業者あるいはカーシェアリングの事業者に委託された車両１〜４の整備をする業者に対して燃料交換の対象車両の次の充電期間に燃料を交換することを促す旨の報知に関する情報を出力する。管理サーバ１０は、たとえば、図示しない表示装置に当該情報を表示するようにしてもよいし、あるいは、図示しない端末に当該情報を送信してもよい。
【００６４】
以上のような構造およびフローチャートに基づくＥＣＵ１００の動作について説明する。
【００６５】
たとえば、前回の未使用期間の算出時点から予め定められた期間が経過するなどして実行条件が成立すると（Ｓ１００にてＹＥＳ）、管理サーバ１０は、車両１〜４の各々から燃料の残量と直前のリッドが開いた日時とを取得する（Ｓ１０２）。
【００６６】
車両１〜４の各々の燃料の残量と直前のリッドが開いた日時とから車両１〜４の各々のエンジン６３の未使用期間が算出される（Ｓ１０４）。算出された車両１〜４のうちの未使用期間がしきい値以上となる車両がある場合には（Ｓ１０６にてＹＥＳ）、未使用期間がしきい値以上となる車両の予約情報が取得される（Ｓ１０８）。取得された予約情報に基づいて推定される次の充電期間に燃料の交換が可能である場合には（Ｓ１１０にてＹＥＳ）、未使用期間がしきい値以上となる車両が燃料交換の対象車両として設定され（Ｓ１１２）、カーシェアリングの事業者や整備を委託された業者等に報知する報知処理が実行される（Ｓ１１４）。
【００６７】
以上のようにして、本実施の形態に係る車両管理システムによると、カーシェアリング等の賃貸サービスの事業者への報知により、賃貸サービスによって返却されたプラグインハイブリッド車両に搭載された蓄電装置を充電する期間において、燃料が交換されると、賃貸サービスに用いられるプラグインハイブリッド車両に搭載された燃料の劣化を抑制することができる。したがって、賃貸サービスに用いられるプラグインハイブリッド車両において燃料の劣化を抑制する車両管理システムを提供することができる。
【００６８】
以下、変形例について記載する。
上述の実施の形態では、インレット２８にコネクタ３２を取り付けることによって、ＥＭＳ５３と蓄電装置２０との間で電力を授受する構成を一例として説明したが、たとえば、ＥＭＳ５３と蓄電装置２０との間で非接触で電力を授受する構成であってもよい。
【００６９】
さらに上述の実施の形態では、車両１は、第１ＭＧ６１と、エンジン６３と、第２ＭＧ６２とを動力分割装置６４によって接続される構成を一例としたハイブリッド車両であるものとして説明したが、車両１は、外部充電が可能なプラグインハイブリッド車両であればよく、たとえば、シリーズ方式などの異なる方式のハイブリッド車両であってもよい。
【００７０】
さらに上述の実施の形態では、電力網１５と電力の授受が可能な構成を一例として説明したが、車両１は、少なくとも外部充電が可能なプラグインハイブリッド車両であればよく、外部給電と外部給電とのうち外部充電だけが可能な構成であってもよい。
【００７１】
さらに上述の実施の形態では、予約情報を用いて次の充電期間を推定し、推定された次の充電期間内に燃料の交換が可能であれば燃料の交換を促す旨の報知を行なうものとして説明したが、たとえば、車両の使用履歴（たとえば、利用された期間）等から予め定められた期間（たとえば、数日、数ヶ月あるいは１年）における繁忙期（利用頻度が一定頻度以上の期間や稼働率（所定期間における利用期間の割合）が一定値以上の期間等）と、閑散期とを推定してもよい。この場合、閑散期においては上述のとおり、未使用期間がしきい値以上の車両の次の充電期間に燃料の交換が可能であれば燃料の交換を促す旨を報知し、繁忙期においては、未使用期間にかかわらず燃料の交換を促す旨を報知しないようにしてもよい。
【００７２】
さらに上述の実施の形態では、予約情報を用いて次の充電期間を推定し、推定された次の充電期間内に燃料の交換が可能であれば燃料の交換を促す旨の報知を行なうものとして説明したが、たとえば、燃料の残量が満タン状態である場合には、劣化の進行度合いが燃料の残量が少ない場合よりも小さいため、未使用期間にかかわらず燃料の交換を促す旨を報知しないようにしてもよい。
【００７３】
さらに上述の実施の形態では、未使用期間がしきい値以上であって、かつ、次の充電期間内に燃料の交換が可能であると、充電期間内に燃料の交換を促す旨の報知を行なうものとして説明したが、管理サーバ１０は、未使用期間がしきい値以上となる前にエンジン６３を動作させる制御モードが選択されるように車両に要求してもよい。管理サーバ１０は、たとえば、未使用期間がしきい値に近づくほど、未使用期間がしきい値に近づいた車両に対して車両の運転時間に占めるエンジン６３が動作する時間の割合が増加するように制御する制御モードの選択を要求してもよい。あるいは、管理サーバ１０は、たとえば、未使用期間がしきい値よりも短い所定値となるときにエンジン６３を動作させる制御モードの選択を要求してもよい。
【００７４】
なお、上記した変形例は、その全部または一部を適宜組み合わせて実施してもよい。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７５】
１，２，３，４  車両、５  充放電装置、６  通信ネットワーク、７  基地局、８  携帯端末、９  拠点、１０  管理サーバ、１１  制御装置、１２  記憶装置、１３，５４  通信装置、１４  通信バス、１５  電力網、２０  蓄電装置、２１  ＳＭＲ、２２  ＰＣＵ、２６  充放電リレー、２７  電力変換装置、２８  インレット、３１  ケーブル、３２  コネクタ、５０  無線通信装置、５１  遠距離通信モジュール、５２  近距離通信モジュール、５３ａ，５３ｂ，５３ｄ，５３ｅ，５３ｆ  入出力部、５３ｃ  出力部、５８  電気機器、６１  第１ＭＧ、６２  第２ＭＧ、６３  エンジン、６４  動力分割装置、６５  動力伝達ギヤ、６６  駆動輪、６７  燃料残量センサ、６８  リッド開閉スイッチ、１００  ＥＣＵ、１０１  ＣＰＵ、１０２  メモリ、２００  車両管理システム。
【図１】
2020107183.tif 000003
【図２】
2020107183.tif 000004
【図３】
2020107183.tif 000005